【手続補正書】
【提出日】平成29年8月30日(2017.8.30)
【手続補正１】
【補正対象書類名】特許請求の範囲
【補正対象項目名】全文
【補正方法】変更
【補正の内容】
【特許請求の範囲】
【請求項１】
異なる標準電池電圧をもつ複数種類の電池のうちの一つが選択されて装着され、前記電池によって駆動されるモータが動力として用いられる電動工具であって、
前記装着された電池の出力電圧が直接印加されるモータと、
ハンドル部に設けられたトリガレバーと、
前記ハンドル部に連結され、前記複数種類の電池が装着可能な電池装着部と、
前記電池装着部の上面に設けられ、前記電池の電池残量に対応した表示を行う電池残量表示手段と、
前記電池の種類を識別すると共に、前記電池の種類に応じた前記電池残量を前記電池残量表示手段に表示させる制御手段と、
を具備することを特徴とする電動工具。
【請求項２】
前記制御手段は、識別した前記電池の種類に応じて予め定められた各々の閾値に基づいて、前記電池の電池残量を前記電池残量表示手段に表示させることを特徴とする請求項１に記載の電動工具。
【請求項３】
前記電池残量表示手段は、少なくとも複数のＬＥＤによって複数段階の前記電池残量を表示可能であり、
前記閾値は、前記複数種類の電池毎に予め定められた複数の値からなり、
前記制御手段は、装着された前記電池の電池残量と、前記電池における前記複数の閾値に基づいて前記電池残量の表示を切り替えることを特徴とする請求項２に記載の電動工具。
【請求項４】
前記制御手段は、
前記電池が前記モータを駆動した際の前記出力電圧の電圧降下によって、前記種類を識別することを特徴とする請求項１に記載の電動工具。
【請求項５】
前記制御手段は、
前記電池の無負荷持の前記出力電圧と、前記種類毎に設定された閾値との大小関係によって、前記電池残量表示手段に前記電池残量を段階的に表示させることを特徴とする請求項４に記載の電動工具。
【請求項６】
前記制御手段は、
前記電池が前記モータを駆動する前においては、前記電池の無負荷持の前記出力電圧と、前記種類に依存しない仮閾値との大小関係によって、前記電池残量表示手段に前記電池残量を段階的に表示させることを特徴とする請求項５に記載の電動工具。
【請求項７】
メインボディ部と、前記メインボディ部に連結された前記ハンドル部と、
前記トリガレバーと接続されたトリガスイッチと、
前記制御手段に供給する電力を生成する電源回路と、
を有し、
前記トリガスイッチが操作された場合に、前記電源回路を介して前記制御手段に電源を供給する第１の起動回路を具備することを特徴とする請求項１から請求項６までのいずれか１項に記載の電動工具。
【請求項８】
電池残量確認スイッチを有し、
前記制御手段は、前記電池残量確認スイッチが操作された場合に、前記電池残量を前記電池残量表示手段に表示させることを特徴とする請求項１から請求項７までのいずれか１項に記載の電動工具。
【請求項９】
前記電池残量確認スイッチが操作された場合に前記制御手段に電源を供給し、前記電池残量を前記電池残量表示手段に表示させる動作を行わせる第２の起動回路を具備することを特徴とする請求項８に記載の電動工具。
【請求項１０】
前記トリガスイッチがオンされることにより、前記モータによって回転動作される回転工具であることを特徴とする請求項１から請求項９までのいずれか１項に記載の電動工具。
【請求項１１】
前記トリガスイッチがオンされることにより、前記モータによってバネに蓄力がなされ、蓄力後の前記バネが開放されることによって部材の打ち込み動作を行う電動打込機であることを特徴とする請求項１から請求項９までのいずれか１項に記載の電動工具。
【手続補正２】
【補正対象書類名】明細書
【補正対象項目名】００１０
【補正方法】変更
【補正の内容】
【００１０】
本発明は、上記課題を解決すべく、以下に掲げる構成とした。
本発明の電動工具は、異なる標準電池電圧をもつ複数種類の電池のうちの一つが選択されて装着され、前記電池によって駆動されるモータが動力として用いられる電動工具であって、前記装着された電池の出力電圧が直接印加されるモータと、ハンドル部に設けられたトリガレバーと、前記ハンドル部に連結され、前記複数種類の電池が装着可能な電池装着部と、前記電池装着部の上面に設けられ、前記電池の電池残量に対応した表示を行う電池残量表示手段と、前記電池の種類を識別すると共に、前記電池の種類に応じた前記電池残量を前記電池残量表示手段に表示させる制御手段と、を具備することを特徴とする。
本発明の電動工具において、前記制御手段は、識別した前記電池の種類に応じて予め定められた各々の閾値に基づいて、前記電池の電池残量を前記電池残量表示手段に表示させることを特徴とする。
本発明の電動工具において、前記電池残量表示手段は、少なくとも複数のＬＥＤによって複数段階の前記電池残量を表示可能であり、前記閾値は、前記複数種類の電池毎に予め定められた複数の値からなり、前記制御手段は、装着された前記電池の電池残量と、前記電池における前記複数の閾値に基づいて前記電池残量の表示を切り替えることを特徴とする。
本発明の電動工具において、前記制御手段は、前記電池が前記モータを駆動した際の前記出力電圧の電圧降下によって、前記種類を識別することを特徴とする。
本発明の電動工具において、前記制御手段は、前記電池の無負荷持の前記出力電圧と、前記種類毎に設定された閾値との大小関係によって、前記電池残量表示手段に前記電池残量を段階的に表示させることを特徴とする。
本発明の電動工具において、前記制御手段は、前記電池が前記モータを駆動する前においては、前記電池の無負荷持の前記出力電圧と、前記種類に依存しない仮閾値との大小関係によって、前記電池残量表示手段に前記電池残量を段階的に表示させることを特徴とする。
本発明の電動工具は、メインボディ部と、前記メインボディ部に連結された前記ハンドル部と、前記トリガレバーと接続されたトリガスイッチと、前記制御手段に供給する電力を生成する電源回路と、を有し、前記トリガスイッチが操作された場合に、前記電源回路を介して前記制御手段に電源を供給する第１の起動回路を具備することを特徴とする。
本発明の電動工具は、電池残量確認スイッチを有し、前記制御手段は、前記電池残量確認スイッチが操作された場合に、前記電池残量を前記電池残量表示手段に表示させることを特徴とする。
本発明の電動工具は、前記電池残量確認スイッチが操作された場合に前記制御手段に電源を供給し、前記電池残量を前記電池残量表示手段に表示させる動作を行わせる第２の起動回路を具備することを特徴とする。
本発明の電動工具は、前記トリガスイッチがオンされることにより、前記モータによって回転動作される回転工具であることを特徴とする。
本発明の電動工具は、前記トリガスイッチがオンされることにより、前記モータによってバネに蓄力がなされ、蓄力後の前記バネが開放されることによって部材の打ち込み動作を行う電動打込機であることを特徴とする。
【手続補正３】
【補正対象書類名】明細書
【補正対象項目名】００２１
【補正方法】変更
【補正の内容】
【００２１】
マイコン１１への電力供給も蓄電池２０によって行われる。ただし、マイコン１１に供給される電流は、モータ２１に供給される電流よりも小さく、電源回路１４によって生成される。電源回路１４によるマイコン１１への電力の供給は、第１の起動回路１６１、又は第２の起動回路１６２によって制御される。